(57)【特許請求の範囲】
【請求項１】
ボディ主部とこのボディ主部の前側に突出された筒状部とを一体に有するボディの内側に、上記筒状部を通してその筒状部と同心位置又は略同心位置に挿入される多極プラグの軸部に前後に並べて設けられた複数の主電極に各別に電気的に接続される複数の主電極を有する多極ジャックであって、
上記筒状部が基部側の径大部とこの径大部の前端から突き出た径小部とによって形成され、かつ、上記径大部と径小部との境界に段付状に段差が形成されていると共に、径大部の外側に第１追加電極が、径小部の外側に第２追加電極が、それぞれ配備され、上記筒状部の軸線から上記第１追加電極の接点までの間隔寸法が上記筒状部の軸線から上記第２追加電極の接点までの間隔寸法よりも長く、かつ、第１追加電極の接点が上記段差の後側に位置し、第２追加電極の接点が上記段差の前側に位置しており、
上記第１追加電極の接点が、上記多極プラグの軸部の周囲に設けられた第１リング状電極の内面側の接点に接触し、上記第２追加電極の接点が、上記第１リング状電極の内側で上記多極プラグの軸部の周囲に同心状に設けられた第２リング状電極の内面側の接点に接触するようになっている多極ジャックにおいて、
上記第２追加電極には上記接点が形成された弾性変位可能な先端自由片部が備えられ、この先端自由片部が上記筒状部の外周の凹所に弾性変位可能に収容され、上記第２追加電極の先端自由片部が収容される筒状部の外周の上記凹所には、凹所の幅より幅狭な開口となるような突起が形成され、その突起に上記第２追加電極の先端自由片部が係止されていることを特徴とする多極ジャック。
【請求項２】
上記第１追加電極の先端が、上記段差の後側に位置している請求項１に記載した多極ジャック。
【請求項３】
上記径大部の外周直径が上記多極プラグの第１リング状電極の内周直径よりも短くて上記第２リング状電極の内周直径よりも長い寸法に形成され、上記径小部の外周直径が上記第２リング状電極の内周直径よりも短い寸法に形成されている請求項１又は請求項２に記載した多極ジャック。
【請求項４】
上記ボディ主部が、上記筒状部の左右両側に張り出した直方体状の外形を有し、上記第１追加電極と上記第２追加電極とが上記筒状部の左右に振り分けて各別に配備されていると共に、上記第１追加電極から後方に延出する形に形成された第１追加電極取付片と上記第２追加電極から後方に延出する形に形成された第２追加電極取付片とのそれぞれが、上記筒状部の両側で上記ボディ主部に固定されている請求項１ないし請求項３のいずれかに記載した多極ジャック。
【請求項５】
上記ボディの内側に備わっている当該多極ジャック側の複数の上記主電極によって４極が形成され、そのうちの３極が上記ボディ主部の内側に配備された３つの主電極によって形成され、残りの１極が上記筒状部の筒壁に開設された開口を通してその筒状部の内側に突出された１つの主電極によって形成されている請求項１ないし請求項４のいずれかに記載した多極ジャック。
【請求項６】
前後に並ぶ複数の主電極を備えた軸部を備え、それらの主電極が多極ジャック側に備わっている複数の主電極に各別に電気的に接続されるようになっている単頭型の多極プラグであって、
上記軸部の根元部分の外側に、第１リング状電極とその第１リング状電極の内側に間隔を隔てて同心状に配備された第２リング状電極とが設けられ、第１リング状電極の内面側に形成された接点が、ジャック側の第１追加電極の接点に接触し、第２リング状電極の内面側に形成された接点が、ジャック側の第２追加電極の接点に接触するようになっていると共に、上記第１リング状電極の接点と上記第２リング状電極の接点とが上記軸部の軸線方向に位置ずれしており、
相手方ジャックが、ボディ主部とこのボディ主部の前側に突出された筒状部とを一体に有し、この筒状部が基部側の径大部とこの径大部の前端から突き出た径小部とによって形成され、かつ、上記径大部と径小部との境界に段付状に段差が形成されていると共に、径大部の外側に上記第１追加電極が、径小部の外側に上記第２追加電極が、それぞれ配備され、上記第１追加電極の先端が、上記段差の後側に位置している多極ジャックである多極プラグであって、
上記第１リング状電極が上記多極ジャック側の上記径大部に嵌合可能な内周直径を有し、かつ、上記第２リング状電極が上記多極ジャック側の上記径小部に嵌合可能で上記径大部に嵌合不可能な内周直径を有し、
上記多極ジャック側の上記径小部に対する上記第２リング状電極の嵌合代が、上記多極ジャック側の上記径小部の軸長よりも短くなっている多極プラグにおいて、
上記多極ジャック側の上記第２追加電極には上記接点が形成された弾性変位可能な先端自由片部が備えられ、この先端自由片部が上記筒状部の外周の凹所に弾性変位可能に収容され、上記多極ジャック側の上記第２追加電極の先端自由片部が収容される筒状部の外周の上記凹所には、凹所の幅より幅狭な開口となるような突起が形成され、その突起に上記第２追加電極の先端自由片部が係止されていることを特徴とする多極プラグ。
【請求項７】
上記第１リング状電極と上記第２リング状電極とが、それらの電極間に介在された電極間樹脂モールドによって電気的に絶縁されていると共に、その電極間樹脂モールドの端面が上記第２リング状電極の前端よりも前に突き出さない箇所に位置している請求項６に記載した多極プラグ。
【請求項８】
上記軸部に備わっている複数の上記主電極によって４極が形成され、上記第１リング状電極と上記第２リング状電極とによって別の２極が形成されている請求項６又は請求項７に記載した多極プラグ。
【請求項９】
ボディ主部とこのボディ主部の前側に突出された筒状部とを一体に有する多極ジャック側ボディの内側に前後に並べて配備された複数の主電極に、上記筒状部を通してその筒状部と同心位置又は略同心位置に挿入された単頭型の多極プラグの軸部に前後に並べて設けられた複数の主電極が各別に電気的に接続されており、
上記多極ジャックの筒状部が基部側の径大部とこの径大部の前端から突き出た径小部とによって形成され、かつ、上記径大部と径小部との境界に段付状に段差が形成されていると共に、
上記径大部の外側に配備された第１追加電極の接点が、上記多極プラグの軸部の周囲に設けられた第１リング状電極の内面側の接点に上記段差の後側で接触し、上記径小部の外側に配備された第２追加電極の接点が、上記第１リング状電極の内側に同心状に設けられた第２リング状電極の内面側の接点に上記段差の前側で接触している多極ジャックと多極プラグとの接続構造において、
上記第２追加電極には上記接点が形成された弾性変位可能な先端自由片部が備えられ、この先端自由片部が上記筒状部の外周の凹所に弾性変位可能に収容され、上記第２追加電極の先端自由片部が収容される筒状部の外周の上記凹所には、凹所の幅より幅狭な開口となるような突起が形成され、その突起に第２追加電極の先端自由片部が係止されていることを特徴とする多極ジャックと多極プラグとの接続構造。
【請求項１０】
上記第１追加電極の先端が、上記段差の後側に位置している請求項９に記載した多極ジャックと多極プラグとの接続構造。
【請求項１１】
上記第１リング状電極が上記多極ジャック側の上記径大部に嵌合可能な内周直径を有し、かつ、上記第２リング状電極が上記多極ジャック側の上記径小部に嵌合可能で上記径大部に嵌合不可能な内周直径を有し、
上記多極ジャック側の上記径小部に対する上記第２リング状電極の嵌合代が、上記多極ジャック側の上記径小部の軸長よりも短くなっている請求項９又は請求項１０に記載した多極ジャックと多極プラグとの接続構造。
【請求項１２】
多極ジャック側の主電極及び多極プラグ側の主電極の各数が４つである請求項９ないし請求項１１のいずれかに記載した多極ジャックと多極プラグとの接続構造。
【発明の詳細な説明】
【０００１】
【発明の属する技術分野】
本発明は、多極ジャック、多極プラグ、並びに多極ジャックと多極プラグとの接続構造に関する。
【０００２】
【従来の技術】
特許第２８７５６１７号公報に従来の多極ジャックやその相手方となる単頭型の多極プラグについての記載がある。この公報に記載されている多極ジャックは、ボディの内側に４極を形成する４つの電極を有していると共に、ボディの筒状部の外周に口金と称される５極目の固定電極がリング状に取り付けられ、さらに、その固定電極の外側に間隔を隔てて弾性変形可能な６極目の可動電極が配備されている。また、この多極ジャックの相手方となる多極プラグは、多極ジャックの４つの上記電極に各別に接触される４つの接点を備えた軸部の根元部分の外側に、その根元部分と同心状に５極目と６極目とを形成するリング状の２つの接続端子を有しており、これらの５極目及び６極目の２つの接続端子が、多極ジャックの５極目の固定電極と６極目の可動電極とに各別に接触するようになっている。
【０００３】
また、特開平８−１３８８０７号公報に従来の別の多極ジャックやその相手方となる単頭型の多極プラグについての記載がある。この公報に記載されている多極ジャックは、スリーブの外周部分の２箇所に２つの電極を有している。また、この多極ジャックの相手方となる多極プラグには、軸部の根元部分の外側に、その根元部分と同心状にリング状の２つの接点を有している。
【０００４】
さらに、特開平１０−３３５０１０号公報や実登第２５４８６１３号公報などにも、多極ジャックや多極プラグなどに関する記載がある。
【０００５】
【発明が解決しようとする課題】
特許第２８７５６１７号公報に記載されている多極ジャックは、ボディに具備された筒状部の外周に５極目の固定電極が取り付けられ、かつ、その固定電極の外側に６極目の可動電極が配備されているので、たとえば軸部に４極、軸部の根元部分にリング状の５極目の固定電極を備える５極の多極プラグを接続したときに、多極プラグの５極目の固定電極の内面と外面とが多極ジャック側の上記固定電極と上記可動電極との両方に接触してそれらの固定電極と可動電極とを短絡してしまうという問題がある。
【０００６】
特開平８−１３８８０７号公報に記載されている多極ジャックについても、たとえば軸部に４極、軸部の根元部分にリング状の５極目の固定電極を備える５極の多極プラグを接続したときに、多極プラグの５極目の固定電極の内面の２箇所に多極ジャック側のスリーブの外周部分の２つの電極が接触してそれらの電極が短絡してしまうという問題がある。
【０００７】
本発明は以上の状況や問題に鑑みてなされたものであり、多極ジャックのボディに備わっている筒状部を利用して２つの極数を追加する場合に、上記したような軸部の根元部分にリング状電極を備える多極プラグを接続したときでも、筒状部を利用して追加された２つの電極が、多極プラグ側のリング状電極によって短絡されることのない多極ジャックを提供することを目的とする。
【０００８】
【課題を解決するための手段】
本発明に係る多極ジャックＪは、ボディ主部とこのボディ主部の前側に突出された筒状部とを一体に有するボディの内側に、上記筒状部を通してその筒状部と同心位置又は略同心位置に挿入される多極プラグの軸部に前後に並べて設けられた複数の主電極に各別に電気的に接続される複数の主電極を有する多極ジャックであって、上記筒状部が基部側の径大部とこの径大部の前端から突き出た径小部とによって形成され、かつ、上記径大部と径小部との境界に段付状に段差が形成されていると共に、径大部の外側に第１追加電極が、径小部の外側に第２追加電極が、それぞれ配備され、上記筒状部の軸線から上記第１追加電極の接点までの間隔寸法が上記筒状部の軸線から上記第２追加電極の接点までの間隔寸法よりも長く、かつ、第１追加電極の接点が上記段差の後側に位置し、第２追加電極の接点が上記段差の前側に位置している。このようになっていると、軸部５０の根元部分にリング状電極（第５極）を備える多極プラグＰを接続したときでも、そのリング状電極が筒状部を利用して追加された第１及び第２の２つの追加電極に接触して両方の追加電極が短絡されてしまうという事態が起こり得ない。
【０００９】
また、上記第１追加電極の接点が、上記多極プラグの軸部の周囲に設けられた第１リング状電極の内面側の接点に接触し、上記第２追加電極の接点が、上記第１リング状電極の内側で上記多極プラグの軸部の周囲に同心状に設けられた第２リング状電極の内面側の接点に接触するようになっている。このため、当該多極ジャックに、この多極ジャックと同じ極数の多極プラグを接続することが可能である。
【００１０】
本発明に係る多極ジャックの最大の特徴は、上記第２追加電極には上記接点が形成された弾性変位可能な先端自由片部が備えられ、この先端自由片部が上記筒状部の外周の凹所に弾性変位可能に収容され、上記第２追加電極の先端自由片部が収容される筒状部の外周の上記凹所には、凹所の幅より幅狭な開口となるような突起が形成され、その突起に上記第２追加電極の先端自由片部が係止されている点にある。この構成を採用することによって、筒状部が仮に正円筒状であるとした場合の筒状部形成スペース内に第２追加電極の先端自由片部がほぼ収まるようになるので、筒状部の外側のスペースを追加電極が占めて多極ジャックが大型化するといった事態にはならない。
【００１１】
また、上記第１追加電極の先端が、上記段差の後側に位置していることが特に望ましい。この構成を採用すると、軸部５０の根元部分にリング状電極（第５極）を備え、かつ、そのリング状電極が上記筒状部の径小部には嵌合するが径大部には嵌合し得ない内周直径を有しているような多極プラグＰの上記軸部をボディに挿入した場合、この多極プラグＰのリング状電極は多極ジャック側の径大部の先端に当たるまで、すなわち多極ジャック側の段差に当たるまで挿入されるだけであるので、そのリング状電極が多極ジャック側の第１追加電極に接触するという事態が起こり得ない。そのため、多極プラグの１つのリング状電極に多極ジャックの第１及び第２の２つの追加電極が接触してそれらの追加電極が短絡するという事態が起こらない。
【００１２】
本発明に係る多極ジャックにおいて、上記径大部の外周直径が上記多極プラグの第１リング状電極の内周直径よりも短くて上記第２リング状電極の内周直径よりも長い寸法に形成され、上記径小部の外周直径が上記第２リング状電極の内周直径よりも短い寸法に形成されていることが望ましい。
【００１３】
本発明に係る多極ジャックＪでは、上記ボディ主部が、上記筒状部の左右両側に張り出した直方体状の外形を有し、上記第１追加電極と上記第２追加電極とが上記筒状部の左右に振り分けて各別に配備されていると共に、上記第１追加電極から後方に延出する形に形成された第１追加電極取付片と上記第２追加電極から後方に延出する形に形成された第２追加電極取付片とのそれぞれが、上記筒状部の両側で上記ボディ主部に固定されていることが望ましい。これによると、第１及び第２の２つの追加電極を、もともと筒状部１２の左右両側に張り出しているボディ主部１１を利用して取り付けることができるので、それらの各電極２６，２５を取り付ける箇所がボディ１０の外側に突き出るという事態が起こらず、そのことが、多極ジャックＪの大型化を抑制することに役立つ。
【００１４】
本発明に係る多極ジャックＪでは、上記ボディの内側に備わっている当該多極ジャック側の複数の上記主電極によって４極が形成され、そのうちの３極が上記ボディ主部の内側に配備された３つの主電極によって形成され、残りの１極が上記筒状部の筒壁に開設された開口を通してその筒状部の内側に突出された１つの主電極によって形成されている、という構成を採用することが可能になり、これによると、小形化を促進しやすい６極の多極ジャックが得られる。
【００１５】
次に、本発明に係る多極プラグＰは、前後に並ぶ複数の主電極を備えた軸部を備え、それらの主電極が多極ジャック側に備わっている複数の主電極に各別に電気的に接続されるようになっている単頭型の多極プラグであって、上記軸部の根元部分の外側に、第１リング状電極とその第１リング状電極の内側に間隔を隔てて同心状に配備された第２リング状電極とが設けられ、第１リング状電極の内面側に形成された接点が、ジャック側の第１追加電極の接点に接触し、第２リング状電極の内面側に形成された接点が、ジャック側の第２追加電極の接点に接触するようになっていると共に、上記第１リング状電極の接点と上記第２リング状電極の接点とが上記軸部の軸線方向に位置ずれしている。
【００１６】
また、相手方ジャックが、ボディ主部とこのボディ主部の前側に突出された筒状部とを一体に有し、この筒状部が基部側の径大部とこの径大部の前端から突き出た径小部とによって形成され、かつ、上記径大部と径小部との境界に段付状に段差が形成されていると共に、径大部の外側に上記第１追加電極が、径小部の外側に上記第２追加電極が、それぞれ配備され、上記第１追加電極の先端が、上記段差の後側に位置している多極ジャックである多極プラグであって、上記第１リング状電極が上記多極ジャック側の上記径大部に嵌合可能な内周直径を有し、かつ、上記第２リング状電極が上記多極ジャック側の上記径小部に嵌合可能で上記径大部に嵌合不可能な内周直径を有し、上記多極ジャック側の上記径小部に対する上記第２リング状電極の嵌合代が、上記多極ジャック側の上記径小部の軸長よりも短くなっている。
【００１７】
これによると、当該多極プラグを多極ジャックに接続した場合に、多極プラグの第２リング状電極が多極ジャック側の第１追加電極に接触するという事態が起こり得ないので、その第２リング状電極に多極ジャックの第１及び第２の２つの追加電極が接触してそれらの追加電極が短絡するという事態が起こらない。
【００１８】
本発明に係る多極プラグＰの最大の特徴は、上記多極ジャック側の上記第２追加電極には上記接点が形成された弾性変位可能な先端自由片部が備えられ、この先端自由片部が上記筒状部の外周の凹所に弾性変位可能に収容され、上記多極ジャック側の上記第２追加電極の先端自由片部が収容される筒状部の外周の上記凹所には、凹所の幅より幅狭な開口となるような突起が形成され、その突起に上記第２追加電極の先端自由片部が係止されている点にある。この構成を採用することによって、筒状部が仮に正円筒状であるとした場合の筒状部形成スペース内に第２追加電極の先端自由片部がほぼ収まるようになるので、筒状部の外側のスペースを追加電極が占めて多極ジャックが大型化するといった事態にはならない。
【００１９】
また、本発明に係る多極プラグでは、上記第１リング状電極と上記第２リング状電極とが、それらの電極間に介在された電極間樹脂モールドによって電気的に絶縁されていると共に、その電極間樹脂モールドの端面が上記第２リング状電極の前端よりも前に突き出さない箇所に位置していることが望ましい。
【００２０】
さらに、本発明に係る多極プラグでは、上記軸部に備わっている複数の上記主電極によって４極が形成され、上記第１リング状電極と上記第２リング状電極とによって別の２極が形成されている、という構成を採用することが可能である。
【００２１】
次に、本発明に係る多極ジャックと多極プラグとの接続構造は、ボディ主部とこのボディ主部の前側に突出された筒状部とを一体に有する多極ジャック側ボディの内側に前後に並べて配備された複数の主電極に、上記筒状部を通してその筒状部と同心位置又は略同心位置に挿入された単頭型の多極プラグの軸部に前後に並べて設けられた複数の主電極が各別に電気的に接続されている。そして、上記多極ジャックの筒状部が基部側の径大部とこの径大部の前端から突き出た径小部とによって形成され、かつ、上記径大部と径小部との境界に段付状に段差が形成されていると共に、上記径大部の外側に配備された第１追加電極の接点が、上記多極プラグの軸部の周囲に設けられた第１リング状電極の内面側の接点に上記段差の後側で接触し、上記径小部の外側に配備された第２追加電極の接点が、上記第１リング状電極の内側に同心状に設けられた第２リング状電極の内面側の接点に上記段差の前側で接触している。この接続構造では、多極ジャック側の主電極及び多極プラグ側の主電極の各数が４つである、という構成を採用することが可能である。
本発明に係る多極ジャックと多極プラグとの接続構造の最大の特徴は、上記第２追加電極には上記接点が形成された弾性変位可能な先端自由片部が備えられ、この先端自由片部が上記筒状部の外周の凹所に弾性変位可能に収容され、上記第２追加電極の先端自由片部が収容される筒状部の外周の上記凹所には、凹所の幅より幅狭な開口となるような突起が形成され、その突起に第２追加電極の先端自由片部が係止されている点にある。この構成を採用することによって、筒状部が仮に正円筒状であるとした場合の筒状部形成スペース内に第２追加電極の先端自由片部がほぼ収まるようになるので、筒状部の外側のスペースを追加電極が占めて多極ジャックが大型化するといった事態にはならない。
【００２２】
この接続構造では、上記第１追加電極の先端が、上記段差の後側に位置していることが望ましく、また、上記第１リング状電極が上記多極ジャック側の上記径大部に嵌合可能な内周直径を有し、かつ、上記第２リング状電極が上記多極ジャック側の上記径小部に嵌合可能で上記径大部に嵌合不可能な内周直径を有し、上記多極ジャック側の上記径小部に対する上記第２リング状電極の嵌合代が、上記多極ジャック側の上記径小部の軸長よりも短くなっていることが望ましい。
【００２３】
この接続構造によると、多極プラグを多極ジャックに接続した場合に、多極プラグの第２リング状電極が多極ジャック側の第１追加電極に接触するという事態が起こり得ないので、その第２リング状電極に多極ジャックの第１及び第２の２つの追加電極が接触してそれらの追加電極が短絡するという事態が起こらない。
【００２４】
このような多極ジャックと多極プラグとの接続構造は、上記した多極ジャックと多極プラグとを接続することによって形成される。そして、多極ジャック側の主電極及び多極プラグ側の主電極の各数を４つにしておくと、全体では６極の接続構造が得られる。
【００２５】
【発明の実施の形態】
図１〜図４を参照して本発明に係る多極ジャックＪの実施形態を説明する。
【００２６】
図１は多極ジャックＪの分解斜視図、図２は同正面図、図３は同横断平面図である。この多極ジャックＪは、電気絶縁性に富む合成樹脂の一体成形体でなるボディ１０を有する。このボディ１０は、ボディ主部１１とこのボディ主部１１の前側に突出された筒状部１２とを一体に有し、ボディ主部１１が筒状部１２の左右両側に張り出した直方体状の外形を有している。また、多極ジャックＪには６つの電極が備わっており、図１にはそれらの各電極を符号２１〜２６で示してあり、以下の説明では、これらの各電極を第１極２１、第２極２２、第３極２３、第４極２４、第５極２５、第６極２６として簡略化して表記する。
【００２７】
第１極２１から第４極２４までの４つの電極は全体で４極の主電極を形成し、そのうちの第１極２１と第２極２２とは、図１のようにボディ主部１１の後端開口からボディ１０の内側に挿入され、第３極２３は、図１のようにボディ主部１１の下側（底面側）からボディ１０の内側に挿入されて、図３のようにそれぞれ組み付けられている。また、第１極２１と第２極２２と第３極２３とにそれぞれ連設されている取付片２１ａ，２２ａ，２３ａがボディ主部１１の所定箇所に動かないように固定されて、第１極２１と第２極２２と第３極２３とがこの順にボディ１０の内側で後側から前側に向かって並べられている。そして、第１極２１と第２極２２と第３極２３とにそれぞれ具備されている半田付け端子２１ｂ，２２ｂ，２３ｂがボディ主部１１の下端からその外側方に向けて突出されている。また、第１極２１と第２極２２とにはそれぞれ１つずつの電極２７，２８が組み合わされていて、一方の可動側の第１極２１と固定側の電極２７とによって第１常閉スイッチＳＷ１が形成され、他方の可動側の第２極２２と固定側の電極２８とによって第２常閉スイッチＳＷ２が形成されている。なお、電極２７，２８にも取付片２７ａ，２８ａや半田付け端子２７ｂ，２８ｂが連設されていて、取付片２７ａ，２８ａがボディ主部１１の内側の所定箇所に動かないように固定され、かつ、半田付け端子２７ｂ，２８ｂがボディ主部１１の下端からその外側方又は後方に向けて突出されている。図１で判るように、第４極２４の取付片２４ａはボディ主部１１の上面側凹所１３ａや縦溝１３ｂ収容された状態でそのボディ主部１１の外側に取り付けられる。そして、この第４極２４が、筒状部１２の筒壁に開設された開口１４を通して筒状部１２の内側に突出されている。
【００２８】
次に、第５極２５と第６極２６との２つの電極によって追加電極を形成しており、以下の説明では、第５極２５を第１追加電極、第６極２６を第２追加電極として規定する。これら２つの追加電極は筒状部１２を利用してその筒状部１２の周囲の２箇所に各別に配備されている。
【００２９】
筒状部１２は基部側の径大部１２ａとこの径大部１２ａの前端から突き出た径小部１２ｂとによって形成されている。また、径大部１２ａと径小部１２ｂとの境界に段付状に段差１２ｃが形成されている。そして、径大部１２ａの外側に第１追加電極である第５極２５が、径小部１２ｂの外側に第２追加電極である第６極２６が、それぞれ配備されている。
【００３０】
すなわち、図２のように、第５極２５は、筒状部１２の外周の右側部分を欠除（所謂Ｄカット）することによって形成された平坦面１７に対してわずかな間隔を隔てて対向配備された弾性を備える可動電極として形成されている。また、図１又は図３のように、第５極２５には、その後方に延出する形に形成された取付片２５ａや半田付け端子２５ｂが備わっており、取付片２５ａが筒状部１２の右側でボディ主部１１の取付溝１８に差し込まれて固定されることによって第５極２５が筒状部１２に対し接離方向に弾性変位可能になっており、半田付け端子２５ｂがボディ主部１１の下端からその外側方に突出されている。他方、第６極２６は、筒状部１２の外周の左側に形成された凹所１５内に収容されている。詳しくは、上記第６極２６には接点２６ｄが形成された弾性変位可能な先端自由片部が備えられ、この先端自由片部が上記筒状部１２の外周の凹所１５に弾性変位可能に収容され、上記第６極の先端自由片部が収容される筒状部の外周の上記凹所１５には、凹所１５の幅より幅狭な開口となるような突起が形成され、その突起に上記第６極２６の先端自由片部が係止されて、その第６極２６の先端自由片部が筒状部１２の外周の左側に形成された上記凹所１５内に弾性変位可能に収容されている。図１又は図３のように、第６極２６にも、その後方に延出する形に形成された取付片２６ａや半田付け端子２６ｂが備わっている。そして、取付片２６ａが筒状部１２の左側でボディ主部１１の取付溝１６に差し込まれて固定されており、その取付片２６ａに連設されている半田付け端子２６ｂがボディ主部１１の下端からその外側方に突出されている。
【００３１】
ここで、図３に示した筒状部１２の軸線Ｌから第５極２５の接点までの間隔寸法Ａ１は、筒状部１２の軸線から第６極２６の接点２６ｄまでの間隔寸法Ａ２よりも長い。また、第５極２５の接点２５ｄが段差１２ｃの後側に位置し、第６極２６の接点２６ｄが段差１２ｃの前側に位置している。さらに、第５極２５の先端２５ｆは上記段差１２ｃの後側に位置している。こうしておくと、軸部の根元部分に正円形のリング状電極を備える多極プラグ（不図示）を接続したときでも、そのリング状電極に第５極２５と第６極２６との両方が接触してそれらが短絡するという事態が起こらない。すなわち、上記多極プラグの正円形のリング状電極が筒状部１２の径大部１２ａの外側に嵌合されたときには、そのリング状電極に接触する電極は第５極２５だけであって、第６極２６は接触しない。また、多極プラグのリング状電極が筒状部１２の径小部１２ｂには嵌合し得るが、径大部１２ａには嵌合し得ない内周直径を有している場合には、そのリング状電極が径小部１２ｂだけに嵌合されてリング状電極が第６極２６だけに接触し、第５極２５には接触しない。すなわち、リング状電極が段差１２ｃに当たって径大部１２ａに嵌合して第５極２５に接触したり第５極の先端２５ｆに接触することはあり得ないからである。そのため、正円形のリング状電極に第５極２５と第６極２６との両方が接触してそれらが短絡するという事態が起こらない。
【００３２】
また、上記のように、第６極２６が筒状部１２の外周の凹所１５内に収容されてその筒状部１２の肉厚内に収まっているので、その第６極２６が筒状部１２の外側に突き出さない。しかも、第５極２５が筒状部１２をＤカットすることによって形成された平坦面１７に近接して配備されているので、その第５極２５が筒状部１２から大きく離れた箇所に位置することはない。これらのことから、第５極２５と第６極２６とは、筒状部１２が仮に正円筒状であるとした場合の筒状部形成スペース内にほぼ収まるようになるので、筒状部１２の外側のスペースを第５極２５と第６極２６とが占めて多極ジャックＪが大型化するといった事態にはならない。
【００３３】
さらに、第６極２６の取付片２６ａが筒状部１２の左側でボディ主部１１の取付溝１６に差し込まれて固定されており、第５極２５の取付片２５ａが筒状部１２の右側でボディ主部１１の取付溝１８に差し込まれて固定されていることにより、第５極２５と第６極２６とを取り付ける箇所がボディ１０の外側に突き出るという事態が起こらなくなって多極ジャックの大型化を来さないという利点がある。
【００３４】
なお、上記した多極ジャックＪは、その第１〜第６の各電極によって図４に示した回路パターンを形成している。
【００３５】
次に、図５及び図６を参照して本発明に係る多極プラグＰの実施形態を説明する。
【００３６】
図５は多極プラグＰの一部破断側面図、図６は同正面図である。この多極プラグＰは単頭型の多極プラグであって、電気絶縁性に富む合成樹脂で成形された円形の基部４０を有している。また、この多極プラグＰには６つの電極が備わっており、図５にはそれらの各電極を符号６１〜６６で示してあり、以下の説明では、これらの各電極を第１極（チップ電極）６１、第２極６２、第３極６３、第４極６４、第５極６５、第６極６６として簡略化して表記する。
【００３７】
第１極６１から第４極６４までの４つの電極は全体で４極の主電極を形成し、これらの各電極は、上記基部４０からまっすぐに突出された軸部５０に、その先端側から根元部分に向かってこの順に並べて具備されていると共に、各電極の相互間に絶縁体でなるスペーサ６７，６８，６９が介在されている。
【００３８】
軸部５０の根元部分に配備されている上記第４極６４の外側に、第５極６５を形成している第１リング状電極と、その第５極６５の内側に間隔を隔てて同心状に配備された第６極６６を形成している第２リング状電極とが設けられている。そして、第５極６５の内面側に形成されている接点６５ａと第６極６６の内面側に形成されている接点６６ａとが軸部５０の軸線方向に位置ずれしている。また、第５極６５と第６極６６とが、それらの電極間に介在された電極間樹脂モールド４５によって電気的に絶縁されている。図例において、電極間樹脂モールド４５の端面４５ａはその前後方向での位置が第６極６６の前端と同じ位置になっているけれども、この点は、電極間樹脂モールド４５の端面４５ａが第６極６６の前端よりも後側に位置していてもよい。すなわち、第６極６６が電極間樹脂モールド４５の端面４５ａから突き出ていてもよい。
【００３９】
この多極プラグＰでは、第５極６５が図３などで説明した多極ジャックＪ側の径大部１２ａに嵌合可能な内周直径を有し、第６極６６が同多極ジャックＪ側の径小部１２ｂに嵌合可能で径大部１２ａに嵌合不可能な内周直径を有する。また、多極ジャックＪ側の径小部１２ｂに対する上記第６極６６の嵌合代が、多極ジャックＪ側の径小部１２ｂの軸長よりも短くなっている。この実施形態において、多極ジャックＪ側の径小部１２ｂに対する上記第６極６６の嵌合代は、基部４０の端面からの第６極６６の突出長さＢ１によって規定されており、その突出長さＢ１を図３に示した段差１２ｃからの径小部１２ｂの突出長さＢ２よりも短くしてある（Ｂ１＜Ｂ２）。
【００４０】
次に、図７を参照して本発明に係る多極ジャックＪと多極プラグＰとの接続構造の実施形態を説明する。
【００４１】
この接続構造では、図１〜図４で説明した多極ジャックＪと図５及び図６で説明した単頭型の多極プラグＰとが組み合わされる。すなわち、多極プラグＰの軸部５０を、多極ジャックＪの筒状部１２を通してその筒状部１２と同心位置又は略同心位置に挿入すると、図７のように、多極ジャックＪ側の主電極である第１極２１から第４極２４までの各電極に、多極プラグＰ側の主電極である第１極６１から第４極６４までの各電極が各別に弾接する。この状態では、多極ジャックＪ側の第１極２１と第２極２２とが外側に弾性変形するので、多極ジャックＪ側の第１常閉スイッチＳＷ１と第２常閉スイッチＳＷ２が開く。また、多極ジャックＪ側の可動電極である第５極２５の接点２５ｄに、多極プラグＰ側の第５極６５の接点６５ａが接触するのに対し、多極ジャックＪ側の第６極２６の接点２６ｄに、多極プラグＰ側の第６極６６の接点６６ｄが接触する。このため、全体として６極の接続構造が得られる。
【００４２】
この接続構造では、図３や図５などで説明したように、多極ジャックＪ側の径小部１２ｂに対する上記第６極６６の嵌合代（Ｂ１）が、多極ジャックＪ側の径小部１２ｂの軸長（Ｂ２）よりも短くなっている。さらに、第５極２５の先端２５ｆが上記段差１２ｃの後側に位置している。このため、多極ジャックＪ側の第６極２６に接触した多極プラグＰ側の第６極６６が、多極ジャックＪ側の第５極２５にも接触するというような事態が起こらなくなって、多極ジャックＪ側の第５極２５と第６極２６とが多極プラグＰ側の第６極６６によって不慮に短絡されてしまうという余地がなくなる。
【００４３】
ところで、図３のように、多極ジャックＪの第６極２６と第５極２５とは、ボディ主部１１の前端からその前方へ比較的長く突き出た位置に配備されている。こうしておくと、ボディ１０に挿入されてきた多極プラグＰ側のチップ電極である第１極６１がボディ１０の内側の最も後方に位置する多極ジャックＪ側の第１極２１に接触する前に、多極ジャックＪの第６極２６又は第５極２５が、多極プラグＰ側の第６極６６又は第５極６５に接触するようになる。このように多極ジャックＪに多極プラグＰを接続する際の第５極２５，６５や第６極２６，６６の接触タイミングを、第１極２１，６１が接触するよりも先になるように定めておくと、筒状部１２を利用して追加された第５極２５又は第６極２６を、たとえばオーディオ機器のステレオモードとモノラルモードとの認識用電極として使用できるようになり、そのようにしておくことによって、それらのモードが認識されないうちは、多極プラグＰ側の第１極６１が多極ジャック１Ｊ側の第１極２１に接触して音声信号の授受が行われないようにすることが可能になる。
【００４４】
なお、上述した多極ジャックＪや多極プラグＰは、主電極によって４極を形成し、追加電極によって２極を形成することによって、全体として６極を形成させてあるけれども、主電極によって形成される極数は４極に限定されず、たとえば２極であっても、３極であってもよい。
【００４５】
【発明の効果】
本発明に係る多極ジャックによれば、ボディの筒状部を利用して２つの極数を追加する場合に、軸部の根元部分にリング状電極を備える多極プラグを接続したときに、２つの追加電極がそのリング状電極によって短絡されるという事態が起こらなくなるにもかかわらず、小形化が促進される。
【００４６】
本発明に係る多極プラグによれば、軸部の根元部分の周囲に２つの電極が追加されているにもかかわらず、小形化を促進しやすくなる。
【００４７】
本発明に係る多極ジャックと多極プラグとの接続構造によれば、多極ジャックと多極プラグとをコンパクトな形で接続することのできるようになる。また、多極ジャック側の２つの追加電極が多極プラグ側のリング状電極によって短絡されるという事態が起こらなくなるにもかかわらず、小形化が促進される。
【００４８】
そして、本発明に係る多極ジャック、多極プラグ並びに多極ジャックと多極プラグとの接続構造によれば、上記効果に加え、上記第２追加電極には上記接点が形成された弾性変位可能な先端自由片部が備えられ、この先端自由片部が上記筒状部の外周の凹所に弾性変位可能に収容され、上記第２追加電極の先端自由片部が収容される筒状部の外周の上記凹所には、凹所の幅より幅狭な開口となるような突起が形成され、その突起に上記第２追加電極の先端自由片部が係止されている。これにより、筒状部が仮に正円筒状であるとした場合の筒状部形成スペース内に第２追加電極の先端自由片部がほぼ収まるようになるので、筒状部の外側のスペースを追加電極が占めて多極ジャックが大型化するといった事態にはならないという効果を奏する。
【図面の簡単な説明】
【図１】  本発明の実施形態による多極ジャックの分解斜視図である。
【図２】  同正面図である。
【図３】  同横断平面図である。
【図４】  回路パターン図である。
【図５】  本発明の実施形態による多極プラグの側面図である。
【図６】  同正面図である。
【図７】  本発明の実施形態による多極ジャックと多極プラグとの接続構造の横断平面図である。
【符号の説明】
１１  ボディ主部
１２  筒状部
１０  ボディ
Ｐ  多極プラグ
５０  軸部
６１，６２，６３，６４  第１極から第４極までの電極（多極プラグ側の主電極）
２１，２２，２３，２４  第１極から第４極までの電極（多極ジャック側の主電極）
Ｊ  多極ジャック
Ｐ  多極プラグ
１２ａ  径大部
１２ｂ  径小部
１２ｃ  段差
１５  凹所
２５  第５極（第１追加電極）
２５ａ  取付片（第１追加電極取付片）
２５ｄ  接点
２６  第６極（第２追加電極）
２６ａ  取付片（第２追加電極取付片）
２６ｄ  接点
６５  第５極（第１リング状電極）
６５ａ  接点
６６  第６極（第２リング状電極）
６６ａ  接点
【図１】
0003733286.tif 000002
【図２】
0003733286.tif 000003
【図３】
0003733286.tif 000004
【図４】
0003733286.tif 000005
【図５】
0003733286.tif 000006
【図６】
0003733286.tif 000007
【図７】
0003733286.tif 000008